(57)【要約】【課題】  アークの低減を図りプラグを確実に挿入して電気的接触信頼性を向上させる。【解決手段】  回路遮断装置１は、電源側バスバー３０及び負荷側バスバー４０と、これらを収容するハウジング２０と、両バスバー３０，４０を短絡させるプラグ１０とを備え、また、プラグ１０に形成されたスライダ係合部１７とハウジング２０に装着されたロックスライダ５０とで両者を係止固定するプラグロック部が構成されている。プラグ１０の両接触部１１，１２の犠牲接点片３４，４４と対応する位置には、絶縁部１３，１４が配設されている。両犠牲接点片３４，４４が絶縁部１３，１４を乗り越えて両接触部１１，１２の側端面１５に両接点部３１，４１により先に接触するため、両接点部３１，４１と両接触部１１，１２との接触時にはアーク放電が発生せず、プラグロック部でプラグ１０とハウジング２０とがロックされる。【選択図】  図１
2005174666.tif 000002
【特許請求の範囲】
【請求項１】
電源側に接続可能であると共に第１接点部を備える第１のバスバーと、
負荷側に接続可能であると共に第２接点部を備える第２のバスバーと、
これら第１及び第２のバスバーの前記第１接点部及び第２接点部を内部に収容するハウジングと、
このハウジングの内部に挿入されて前記第１接点部と前記第２接点部とを短絡させるプラグとを備え、
前記ハウジング及び前記プラグは、前記プラグの前記ハウジングへの完全挿入時に、前記プラグの前記ハウジングからの抜けを防止するプラグロック部により互いに係止固定される構造からなり、
前記プラグロック部は、前記ハウジングに装着され前記プラグの前記ハウジングへの挿入方向と直交する方向にスライド移動自在なロックスライダと、前記プラグに形成され前記ロックスライダが係合するスライダ係合部とから構成されている
ことを特徴とする回路遮断装置。
【請求項２】
前記ロックスライダは、前記スライダ係合部を前記挿入方向に押える押え片を備え、前記スライダ係合部は、前記挿入方向と直交する面と平行に板面が形成されこの板面に前記押え片が当接する板状部材からなる
ことを特徴とする請求項１記載の回路遮断装置。
【請求項３】
前記第１及び第２のバスバーは、前記プラグの前記ハウジングへの挿入時に、前記第１及び第２接点部よりも先に前記プラグと接触する弾性復元力を備えた犠牲接点片をそれぞれ備え、
前記プラグは、前記ハウジングへの挿入時に、前記犠牲接点片と最初に接触する絶縁部を備え、
前記犠牲接点片は、前記プラグの前記ハウジングへの挿入動作中に前記絶縁部と当接した後、前記絶縁部を乗り越えた瞬間にその弾性復元力により前記第１及び第２接点部より先に前記プラグと接触し、
前記プラグと前記犠牲接点片とが接触した状態で前記プラグと前記第１及び第２接点部とがそれぞれ接触するように構成されている
ことを特徴とする請求項１又は２記載の回路遮断装置。
【請求項４】
前記犠牲接点片は、先端側が前記プラグの前記ハウジングへの挿入方向に対して所定角度傾斜するように“く”の字状に曲げられた形状からなり、
前記絶縁部は、先端側が前記挿入方向に対して所定角度傾斜したテーパ部を有し、このテーパ部に続いて段差部を有する樹脂成型部材からなる
ことを特徴とする請求項３記載の回路遮断装置。
【請求項５】
前記プラグは、前記挿入方向先端側が二股に分岐された平板状の金属部材からなり、その分岐された部分が第１接触部と第２接触部とを構成してこれらが平面状に配列配置され、
前記犠牲接点片は、前記第１及び第２接触部の側端面とそれぞれ接触するように構成され、
前記絶縁部は、当該絶縁部が無い場合に前記第１及び第２接触部の前記犠牲接点片との初期接触位置となるべき位置にそれぞれ形成されている
ことを特徴とする請求項３又は４記載の回路遮断装置。
【請求項６】
前記プラグは、前記挿入方向先端側が二股に分岐された平板状の金属部材からなり、その分岐された部分が第１接触部と第２接触部とを構成してこれらが平面状に配列配置され、
前記犠牲接点片は、前記プラグの分岐部分における前記第１及び第２接触部を厚さ方向に挟むように構成され、
前記絶縁部は、当該絶縁部が無い場合に前記第１及び第２接触部の前記犠牲接点片との初期接触位置となるべき位置にそれぞれ形成されている
ことを特徴とする請求項３又は４記載の回路遮断装置。
【請求項７】
前記第１接点部及び第２接点部は、
前記電源及び負荷とそれぞれ接続される部分と一体に形成された矩形筒状の接点本体部と、
この接点本体部の内側の対向面にそれぞれ配置された弾性金属板からなる主接点と
を備えて構成されたものであることを特徴とする請求項３〜６のいずれか１項記載の回路遮断装置。
【請求項８】
前記第１及び第２のバスバーは、前記ハウジングに収容された前記第１接点部及び第２接点部に対し、前記電源及び負荷に接続される部分が互い違いに配置されている
ことを特徴とする請求項１〜７のいずれか１項記載の回路遮断装置。
【請求項９】
前記ハウジングは、前記第１及び第２のバスバーの前記電源及び負荷に接続される部分の間に両者を隔てる隔壁部を備えてなる
ことを特徴とする請求項１〜８のいずれか１項記載の回路遮断装置。
【発明の詳細な説明】
【技術分野】
【０００１】
本発明は、例えば自動車のメインヒューズボックス（Main Fuse Box：以下「Ｍ／Ｂ」と呼ぶ。）等に搭載され、電源と負荷との間を電気的に遮断する回路遮断装置に関する。
【背景技術】
【０００２】
自動車用機器の多電子化に伴い、例えば車両電源電圧を１２ボルト（Ｖ）や１４ボルトから２４ボルト、３６ボルト又は４２ボルトに昇圧した場合、電源投入時などにアーク放電が発生し易くなるため、Ｍ／Ｂ等には安全性確保のための回路遮断装置が搭載される。図１５は、このような回路遮断装置を説明するための概略図である。
【０００３】
図１５（ａ）に示すように、回路遮断装置３００は、例えば合成樹脂等からなるカバーハウジング部３０１内に、電源（バッテリ）側の接点部３０２ａと、負荷側の接点部３０２ｂとを収容して構成され、それぞれの接点部３０２ａ，３０２ｂは、導電部３０３ａ，３０３ｂを介して電源側のバスバー３０４ａと、負荷側のバスバー３０４ｂとにボルト３０５で留められてナット３０６で固定されている。各接点部３０２ａ，３０２ｂ内には、同図（ｂ）に示すように、ルーバー状の接触子３０７を備えたいわゆるマルチコンタクトと呼ばれる接触部３０８ａ，３０８ｂがそれぞれ設けられている。
【０００４】
そして、これら接触部３０８ａ，３０８ｂに、例えば丸棒状のプラグ３０９を挿し込むことで各接触部３０８ａ，３０８ｂ内の接触子３０７がプラグ３０９の表面と接触し、回路遮断装置３００の導電部３０３ａ，３０３ｂを介して電源側のバスバー３０４ａと負荷側のバスバー３０４ｂとを電気的に接続（短絡）する構造からなる。
【０００５】
反対に、電源側のバスバー３０４ａと負荷側のバスバー３０４ｂとを電気的に遮断（開放）する場合には、接触部３０８ａ，３０８ｂに挿し込まれているプラグ３０９を抜くことにより遮断（開放）することが可能である（例えば、特許文献１及び２参照。）。
【０００６】
【特許文献１】特開２００２−３１９３３５号公報（第３−６頁、第１−１０図）
【特許文献２】特開２００２−３１９３３６号公報（第３−８頁、第１−１３図）
【発明の開示】
【発明が解決しようとする課題】
【０００７】
しかしながら、このような構造の回路遮断装置３００においては、プラグ３０９を各接点部３０２ａ，３０２ｂに対して容易に挿抜することができるため、例えば図１５（ｂ）に示すように、プラグ３０９が接触部３０８ａ，３０８ｂに挿抜される際に接触子３０７と接触する瞬間又は接触が切り離される瞬間（この例では、接点部３０２ｂの接触部３０８ｂにおける接触子３０７とプラグ３０９との先端部分が接触し若しくは離間する瞬間）にアーク放電が発生し、そのエネルギーでプラグ３０９の表面を溶損したり接触部３０８ｂを傷つけたりして、プラグ３０９と接触部３０８ｂとの接触信頼性を著しく損ねてしまうおそれがあると共に、プラグ３０９と接触子３０７とが接触したか否かを確認するためには、プラグ３０９の挿入状態を適宜確認しなければならずその作業が繁雑になるおそれがある。
【０００８】
また、この回路遮断装置３００では、丸棒状のプラグ３０９と円筒状の接触子３０７との組み合わせにより両者の接触を図る構造であるため、部品代（部品加工費などを含む）が高価であると共に、例えば耐久性を向上させるためにタングステン等の高価な高融点金属が用いられることがあり、回路遮断装置３００を構成する部品点数が増加すると共に加工作業等が複雑化して回路遮断装置３００の構成が複雑となる場合がある。
【０００９】
本発明は、このような問題点に鑑みてなされたもので、簡単な構成でアークの低減を図りつつプラグの確実な挿入を実現して電気的接触信頼性を向上させることができる回路遮断装置を提供することを目的とする。
【課題を解決するための手段】
【００１０】
本発明に係る回路遮断装置は、電源側に接続可能であると共に第１接点部を備える第１のバスバーと、負荷側に接続可能であると共に第２接点部を備える第２のバスバーと、これら第１及び第２のバスバーの前記第１接点部及び第２接点部を内部に収容するハウジングと、このハウジングの内部に挿入されて前記第１接点部と前記第２接点部とを短絡させるプラグとを備え、前記ハウジング及び前記プラグは、前記プラグの前記ハウジングへの完全挿入時に、前記プラグの前記ハウジングからの抜けを防止するプラグロック部により互いに係止固定される構造からなり、前記プラグロック部は、前記ハウジングに装着され前記プラグの前記ハウジングへの挿入方向と直交する方向にスライド移動自在なロックスライダと、前記プラグに形成され前記ロックスライダが係合するスライダ係合部とから構成されていることを特徴とする。
【００１１】
なお、ハウジングとプラグとを係止固定するプラグロック部を構成するロックスライダは、例えばスライダ係合部をハウジングへの挿入方向に押える押え片を備えてなり、スライダ係合部は、例えばハウジングへの挿入方向と直交する面と平行に板面が形成されこの板面にロックスライダの押え片が当接する板状部材からなると良い。
【００１２】
また、第１及び第２のバスバーは、例えばプラグのハウジングへの挿入時に、第１及び第２接点部よりも先にプラグと接触する弾性復元力を備えた犠牲接点片をそれぞれ備え、プラグは、例えばハウジングへの挿入時に、犠牲接点片と最初に接触する絶縁部を備え、犠牲接点片は、例えばプラグのハウジングへの挿入動作中に絶縁部と当接した後、絶縁部を乗り越えた瞬間にその弾性復元力により第１及び第２接点部より先にプラグと接触すると良く、この場合回路遮断装置は、例えばプラグと犠牲接点片とが接触した状態でプラグと第１及び第２接点部とがそれぞれ接触するように構成されていると良い。
【００１３】
なお、犠牲接点片は、例えば先端側がプラグのハウジングへの挿入方向に対して所定角度傾斜するように“く”の字状に曲げられた形状からなると良く、絶縁部は、例えば先端側がこの挿入方向に対して所定角度傾斜したテーパ部を有し、このテーパ部に続いて段差部を有する樹脂成型部材からなると良い。
【００１４】
そして、プラグは、例えば（１）ハウジングへの挿入方向先端側が二股に分岐された平板状の金属部材からなり、その分岐された部分が第１接触部と第２接触部とを構成してこれらが平面状に配列配置され、犠牲接点片は、第１及び第２接触部の側端面とそれぞれ接触するように構成され、絶縁部は、当該絶縁部が無い場合に第１及び第２接触部の犠牲接点片との初期接触位置となるべき位置にそれぞれ形成されていても良いし、例えば（２）ハウジングへの挿入方向先端側が二股に分岐された平板状の金属部材からなり、その分岐された部分が第１接触部と第２接触部とを構成してこれらが平面状に配列配置され、犠牲接点片は、プラグの分岐部分における第１及び第２接触部を厚さ方向に挟むように構成され、絶縁部は、当該絶縁部が無い場合に第１及び第２接触部の犠牲接点片との初期接触位置となるべき位置にそれぞれ形成されていても良い。
【００１５】
また、第１接点部及び第２接点部は、例えば電源及び負荷とそれぞれ接続される部分と一体に形成された矩形筒状の接点本体部と、この接点本体部の内側の対向面にそれぞれ配置された弾性金属板からなる主接点とを備えて構成されていると良い。
【００１６】
なお、第１及び第２のバスバーは、例えばハウジングに収容された第１接点部及び第２接点部に対し、電源及び負荷に接続される部分が互い違いに配置されていると良い。
【００１７】
また、ハウジングは、例えば第１及び第２のバスバーの電源及び負荷に接続される部分の間に両者を隔てる隔壁部を備えてなると良い。
【発明の効果】
【００１８】
本発明によれば、回路遮断装置のハウジングとプラグとが、ハウジングに装着されプラグのハウジングへの挿入方向と直交する方向にスライド移動自在なロックスライダと、プラグに形成されロックスライダが係合するスライダ係合部とから構成されるプラグロック部で、プラグのハウジングへの完全挿入時に互いに係止固定されるため、プラグのハウジングへの不完全挿入状態を検知することができると共に、プラグのハウジングに対する不用意な挿抜を防止することができる。また、プラグロック部は、ロックスライダとスライダ係合部とからなる簡単な構成で実現することができるため、ハウジングとプラグとの係止固定を実現するためのコストアップは最小限に留めることができる。このため、簡単な構成で回路遮断装置のアークの低減を図り且つプラグの確実な挿入を実現して電気的接触信頼性を向上させることが可能となる。
【発明を実施するための最良の形態】
【００１９】
以下、添付の図面を参照して、本発明の好ましい実施の形態を説明する。
図１は、本発明の一実施形態に係る回路遮断装置を示す分解斜視図、図２は、この回路遮断装置のプラグ完全挿入時の様子を示す外観斜視図、図３は、この回路遮断装置の動作説明側面図、図４及び図５は、この回路遮断装置の一部断面図、図６〜図１０は、この回路遮断装置の動作説明断面図である。
【００２０】
図１及び図２に示すように、回路遮断装置１は、例えば図示しない電源側に接続可能に形成された第１のバスバーである電源側バスバー３０と、同じく図示しない負荷側に接続可能に形成された第２のバスバーである負荷側バスバー４０と、これら電源側及び負荷側バスバー３０，４０を短絡させるプラグ（両バスバー３０，４０間を電気的に導通させる導電部材のことをいう。以下同じ。）１０とを備え、後述する電源側及び負荷側バスバー３０，４０の接点部等がハウジング２０の内部に収容された構造からなる。
【００２１】
電源側バスバー３０は、例えば図６に示すように、プラグ１０と接触する接触子としての第１接点部３１を有し、負荷側バスバー４０は、同じくプラグ１０と接触する接触子としての第２接点部４１を有した形状で構成されている。また、これら電源側及び負荷側バスバー３０，４０の基端側には、それぞれ接続孔３１ｂ，４１ｂを有する電源接続端子３１ａ及び負荷接続端子４１ａが備えられている。
【００２２】
これら電源側及び負荷側バスバー３０，４０に備えられた第１及び第２接点部３１，４１は、例えば後述するプラグ１０の接触部が挿入される開口部３２，４２を有する矩形筒状に形成され、開口部３２，４２の開口周縁の少なくとも一部には、例えば開口内側に折り曲げられて形成された複数の接触片３３，４３が備えられている。
【００２３】
また、電源側及び負荷側バスバー３０，４０は、第１及び第２接点部３１，４１よりも先にプラグ１０と接触するプラグ１０の挿入方向へ延びる形状で形成された第１犠牲接点片３４及び第２犠牲接点片４４を備えている。
【００２４】
これら電源側及び負荷側バスバー３０，４０に備えられた第１及び第２犠牲接点片３４，４４は、例えばプラグ１０の挿入方向と直交する方向（以下、「直交方向」と呼ぶ。）に撓んだ場合に元の状態に戻るような弾性復元力を備えており、先端側はプラグ１０の挿入方向に対して所定角度の傾斜をつけるように、例えば“く”の字状に曲げられた形状からなる。
【００２５】
なお、これら第１及び第２接点部３１，４１や第１及び第２犠牲接点片３４，４４は、上述したようにハウジング２０の内部に収容され、このハウジング２０の各開口部３２，４２と対応する端面部分には、プラグ１０をハウジング２０内に挿入可能にするためのプラグ挿入口２１がそれぞれ形成されている。
【００２６】
一方、プラグ１０は、例えばハウジング２０への挿入方向先端側が二股に分岐され平面状に配列配置された、その配列方向と交差する方向から見て例えばＵ字型の平板状の金属部材からなり、その分岐された平板状部分が第１接触部１１及び第２接触部１２を構成してなる。
【００２７】
そして、このプラグ１０の第１及び第２接触部１１，１２の互いに対向する側縁部は、例えば樹脂成型部材からなる絶縁部１３，１４により覆われると共に、その先端から僅かに基端側に入った位置から基端側へ所定距離だけ奥まった位置までの絶縁部１３，１４が除去されて、その部分で第１及び第２接触部１１，１２の側端面１５及びその側縁部が僅かに露出する構造を有している。
【００２８】
なお、第１及び第２接触部１１，１２に備えられた絶縁部１３，１４の先端部は、その平面形状が例えば楔形となるように形成され、ハウジング２０への挿入時に第１及び第２犠牲接点片３４，４４と最初に接触すると共に、第１及び第２犠牲接点片３４，４４の先端側の傾斜にほぼ合わせた所定角度の傾斜面（テーパ部）１３ａ，１４ａを有する構造からなる。
【００２９】
また、第１及び第２接触部１１，１２の基端側には、ハウジング２０に備えられた後述するプラグロック部を構成するロックスライダと係合可能な合成樹脂等の板状部材からなるスライダ係合部１７及びプラグ１０を把持して操作するための同じく合成樹脂等からなる把持部１６が形成され、第１及び第２接触部１１，１２はこの把持部１６内で連続した構造からなる。
【００３０】
なお、プラグ１０に備えられたスライダ係合部１７は、プラグ１０のハウジング２０への挿入方向と直交する面（以下、「直交面」と呼ぶ。）と平行にその板面１７ａが形成された構造からなる。この板面１７ａには、後述するロックスライダの押え片が当接する。
【００３１】
ここで、この例の回路遮断装置１では、第１及び第２犠牲接点片３４，４４は、プラグ１０の第１及び第２接触部１１，１２の対向する側端面１５とそれぞれ接触するように第１及び第２接点部３１，４１の隣接端部の内側の所定位置に備えられ、絶縁部１３，１４は、ハウジング２０への挿入時に第１及び第２接触部１１，１２における第１及び第２犠牲接点片３４，４４と最初に接触する位置にそれぞれ形成されている。
【００３２】
プラグ１０が挿入されるハウジング２０は、この例では第１及び第２犠牲接点片３４，４４と、第１及び第２接点部３１，４１と、電源側及び負荷側バスバー３０，４０とを内部に収容する矩形箱状に形成された樹脂成型部材からなる筐体を有し、プラグ挿入口２１側の側壁部に形成されたロックスライダ装着部２２にロックスライダ５０が装着された構造からなる。
【００３３】
ハウジング２０のロックスライダ装着部２２は、直交方向に開口し後述するスライダ片が挿入されるスライダ挿入部２３と、内部に形成されスライダ片が係合する弾性スライダ係止片２４，２５（図４及び図５参照）とを備えて構成されている。
【００３４】
ロックスライダ５０は、上述したように、プラグ１０のスライダ係合部１７と共にハウジング２０とプラグ１０とを係止固定するプラグロック部を構成し、ハウジング２０に対して直交方向にスライド移動自在に装着されたものである。
【００３５】
このロックスライダ５０は、例えばロックスライダ５０の操作時に実際に押したり引いたりされる操作把持部５１と、プラグ１０のハウジング２０への完全挿入時にプラグ１０のスライダ係合部１７の板面１７ａと当接しこのスライダ係合部１７をハウジング２０側に押える押え片５２と、この押え片５２と操作把持部５１とを連結する複数のリブ５３と、ロックスライダ装着部２２にスライダ挿入部２３から挿入係止される複数のスライダ片５４とが形成された構造からなる。
【００３６】
なお、ロックスライダ５０の押え片５２のプラグ１０側の端部には、プラグ１０の把持部１６のスライダ係合部１７側の部分に確実に嵌るように凹状の切欠部５５が形成されている。
【００３７】
このように構成されたロックスライダ５０は、図４及び図５に示すように、ハウジング２０のロックスライダ装着部２２に、スライダ挿入部２３からスライダ片５４が内部に挿入係止された状態で装着されている。
【００３８】
ロックスライダ５０がハウジング２０から離れた状態の時は、例えば図４に示すように、スライダ片５４に形成された図中下部の係止凸部５６と、図中上部の弾性スライダ係止片２４及び図中下部の弾性スライダ係止片２５のそれぞれの先端部が形成する係止凹部２６とが係合し、プラグ１０の挿入に対してロックスライダ５０の押え片５２がプラグ１０のスライダ係合部１７から十分離れた位置で静止するような構造となっている。
【００３９】
反対に、ロックスライダ５０がハウジング２０に近づいた状態、即ちプラグロック状態の時は、例えば図５に示すように、スライダ片５４に形成された図中上部の係止凸部５７と、両弾性スライダ係止片２４，２５の先端部が形成する係止凹部２６とが係合し、ロックスライダ５０の押え片５２がプラグ１０のスライダ係合部１７の板面１７ａと当接し、プラグ１０をハウジング２０に係止固定した位置で静止するような構造となっている。
【００４０】
従って、図３（ａ）及び（ｂ）に示すように、プラグ１０のハウジング２０への初期挿入時及び挿入完了時には、ロックスライダ５０はハウジング２０から離れた位置にあるが、同図（ｃ）に示すように、プラグ１０のハウジング２０への完全挿入時には、ロックスライダ５０はハウジング２０に近づいた位置にスライド移動され、これによりプラグ１０のスライダ係合部１７をロックスライダ５０の押え片５２がハウジング２０に対して押える状態となって、プラグ１０とハウジング２０とが係止固定（ロック）される。
【００４１】
なお、このロックスライダ５０は、プラグ１０の挿入時にはプラグ１０がハウジング２０に完全に挿入された後でなければ、例えば押え片５２がスライダ係合部１７の側端部などに当たってスライド移動が妨げられてしまう構造のため、ロックスライダ５０をハウジング２０に最も近づけた位置に押し込むことができないなどの状況が生じる。これにより、回路遮断装置１のプラグ１０のハウジング２０への不完全挿入を検知することが可能となる。
【００４２】
そして、この回路遮断装置１では、スライダ係合部１７及びロックスライダ５０で構成されるプラグロック部によりプラグ１０のハウジング２０への完全挿入時にプラグ１０がハウジング２０に係止固定されるため、この係止固定状態を解除するためにはロックスライダ５０を操作しなければならない。このため、プラグ１０の不用意な挿抜を防止することもできる。
【００４３】
次に、図６〜図１０を用いて、この回路遮断装置１の動作を説明する。
上述した構造で構成された回路遮断装置１では、電源側及び負荷側バスバー３０，４０を短絡させる場合、まず、図６に示すように、例えばプラグ１０の把持部１６を把持して図６中矢印方向に動かし、第１及び第２接触部１１，１２をハウジング２０のプラグ挿入口２１に徐々に挿入する。
【００４４】
すると、図７に示すように、ハウジング２０のプラグ挿入口２１に挿入された第１及び第２接触部１１，１２の絶縁部１３，１４が、それぞれ第１及び第２接点部３１，４１の第１及び第２犠牲接点片３４，４４と最初に接触する。
【００４５】
このとき、第１及び第２犠牲接点片３４，４４の先端側の傾斜と絶縁部１３，１４の傾斜面（テーパ部）１３ａ，１４ａとにより、第１及び第２犠牲接点片３４，４４がそれぞれプラグ１０の挿入方向と交差（直交）する方向、即ち互いに近づく向きに撓みながら第１及び第２接触部１１，１２が第１及び第２接点部３１，４１側に挿入される。
【００４６】
なお、この状態のときは、第１及び第２接触部１１，１２と第１及び第２犠牲接点片３４，４４とは電気的に導通されていないため、アーク放電は未だ発生することはない。
【００４７】
そのまま、プラグ１０を更にハウジング２０に挿入し続けると、図８に示すように、第１及び第２犠牲接点片３４，４４が絶縁部１３，１４の楔形部分の傾斜面（テーパ部）１３ａ，１４ａを乗り越えるような状態まで撓む。
【００４８】
そして、そのまま絶縁部１３，１４を越えた時点でその弾性復元力により第１及び第２接点部３１，４１より先に、第１及び第２犠牲接点片３４，４４のいずれか一方が瞬間的に第１及び第２接触部１１，１２のいずれか一方の側端面１５と接触し、引き続き第１及び第２犠牲接点片３４，４４の他方が第１及び第２接触部１１，１２の他方の側端面１５と接触する。なお、この順番はランダムに決まるものである。
【００４９】
このとき、第１及び第２犠牲接点片３４，４４と第１及び第２接触部１１，１２の側端面１５のうち、後から接触されるもの同士の間にはアーク放電が発生するが、接触速度が速いためにそれほどの影響は生じない。
【００５０】
また、プラグ１０を裏表いずれの姿勢でもハウジング２０に装着可能とすることにより、第１及び第２犠牲接点片３４，４４のどちらと後から接続されたとしても、側端面１５に対する影響を左右で均一化することもできる。
【００５１】
こうして、第１及び第２犠牲接点片３４，４４が側端面１５と接触した後は、図９に示すように、第１及び第２犠牲接点片３４，４４と第１及び第２接触部１１，１２とが接続された状態で、第１及び第２接触部１１，１２と第１及び第２接点部３１，４１とが接触するので、アーク放電は発生しないこととなる。
【００５２】
後は、図１０に示すように、プラグ１０を完全にハウジング２０に挿入し、上述したロックスライダ５０を直交方向にスライド移動させてプラグ１０のスライダ係合部１７と係合させれば、プラグ１０がハウジング２０に完全挿入状態のまま係止固定されることとなる。
【００５３】
従って、この回路遮断装置１では、上記プラグロック部による効果と共に、電源側及び負荷側バスバー３０，４０を短絡させる直前で、第１及び第２犠牲接点片３４，４４との接触で先にアーク放電が発生するため、プラグ１０のハウジング２０への挿入時の第１及び第２接点部３１，４１と第１及び第２接触部１１，１２とのアーク放電が著しく低減され、プラグ１０や両接点部３１，４１が溶損したり傷ついたりすることで起こる電気的接触信頼性の低下を確実に抑えることができる。
【００５４】
更に、アーク放電による溶損等は第１及び第２犠牲接点片３４，４４と第１及び第２接触部１１，１２の側端面１５とにのみ発生するため、いわゆる本接点部である第１及び第２接点部３１，４１と側端面１５以外の第１及び第２接触部１１，１２はアーク放電の発生に関係なく良好な接触面と接触圧力を確保することができる。
【００５５】
これにより、プラグ１０のハウジング２０への繰り返し挿抜動作を可能にし、如いては回路遮断装置１の寿命を著しく延ばすことも可能となる。
【００５６】
図１１は、本発明の他の実施形態に係る回路遮断装置を示す一部分解断面図、図１２は、この回路遮断装置のプラグ初期挿入時の一部断面図、図１３は、この回路遮断装置のプラグ完全挿入時の一部断面図である。
【００５７】
この回路遮断装置１Ａは、第１及び第２接点部３１，４１に備えられた第１及び第２犠牲接点片３４Ａ（３４ａ，３４ｂ），４４Ａ（４４ａ，４４ｂ）の配設態様と、プラグ１０Ａの第１及び第２接触部１１，１２に備えられた絶縁部１３Ａ，１４Ａの配設態様とが、先の例の回路遮断装置１とは相違している。
【００５８】
この回路遮断装置１Ａでは、第１及び第２犠牲接点片３４Ａ，４４Ａは、それぞれ第１及び第２接触部１１，１２の厚さ方向の面と接触する複数の犠牲接点片３４ａ，３４ｂ，４４ａ，４４ｂを備えており、図１２に示すように、プラグ１０Ａを図中矢印Ｍ方向に移動してハウジング２０に挿入していくと、第１及び第２犠牲接点片３４Ａ，４４Ａと絶縁部１３Ａ，１４Ａとが最初に接触し、その後は絶縁部１３Ａ，１４Ａを乗り越えた時点で第１及び第２接点部３１，４１より先に第１及び第２接触部１１，１２と接触し、最後に第１及び第２接点部３１，４１と接触する。
【００５９】
そして、ロックスライダ５０を図中矢印Ｎ方向（直交方向）にスライド移動させてスライダ係合部１７と係合させる。こうすれば、図１３に示すように、プラグ１０Ａはハウジング２０にスライダ係合部１７及びロックスライダ５０からなるプラグロック部で係止固定される。これらの効果は先の回路遮断装置１と変わりはない。
【００６０】
なお、上述した回路遮断装置１，１Ａでは、プラグ１０の第１及び第２接触部１１，１２における第１及び第２犠牲接点片３４，４４，３４Ａ，４４Ａと接触する位置と、第１及び第２接点部３１，４１と接触する位置とが異なるように設定されているため、良好な接続を繰り返し持続させることができる構造となっていることは言うまでもない。
【００６１】
また、上記実施形態では、電源側バスバー３０の板状の電源接続端子３１ａと負荷側バスバー４０の板状の負荷接続端子４１ａとが、ハウジング２０に収容された第１接点部３１及び第２接点部４１に対し、上下方向に互い違いにずれた構造を有する。この構造によれば、電源接続端子３１ａと負荷接続端子４１ａの距離を、水平方向に同レベルで配列した場合よりも長くとることができるので、その分、ハウジング２０を小型化することができるが、通常行われているように、電源接続端子３１ａ及び負荷接続端子４１ａを水平方向に同レベルに配列しても本発明の実施に何ら影響は無い。
【００６２】
更に、回路遮断装置１，１Ａのハウジング２０は、図１４に示すように、例えば電源側バスバー３０の電源接続端子３１ａと負荷側バスバー４０の負荷接続端子４１ａとの間の部分に、これら電源接続端子３１ａ及び負荷接続端子４１ａを隔てる隔壁部２７を備えた形状からなるものでも良い。このように隔壁部２７が形成されれば、両接続端子３１ａ，４１ａ間のアーク放電や不用意な短絡を効果的に防止することができ、安全性を向上させることができる。
【産業上の利用可能性】
【００６３】
本発明は、自動車を始めとして、直流電源を遮断する各種の用途に利用できる。
【図面の簡単な説明】
【００６４】
【図１】本発明の一実施形態に係る回路遮断装置を示す分解斜視図である。
【図２】同回路遮断装置のプラグ完全挿入時の様子を示す外観斜視図である。
【図３】同回路遮断装置の動作説明側面図である。
【図４】同回路遮断装置の一部断面図である。
【図５】同回路遮断装置の一部断面図である。
【図６】同回路遮断装置の動作説明断面図である。
【図７】同回路遮断装置の動作説明断面図である。
【図８】同回路遮断装置の動作説明断面図である。
【図９】同回路遮断装置の動作説明断面図である。
【図１０】同回路遮断装置の動作説明断面図である。
【図１１】本発明の他の実施形態に係る回路遮断装置を示す一部分解断面図である。
【図１２】同回路遮断装置のプラグ初期挿入時の一部断面図である。
【図１３】同回路遮断装置のプラグ完全挿入時の一部断面図である。
【図１４】同回路遮断装置の他のハウジングの一部を示す外観斜視図である。
【図１５】従来の回路遮断装置を説明するための概略図である。
【符号の説明】
【００６５】
１，１Ａ…回路遮断装置、１０…プラグ、１１…第１接触部、１２…第２接触部、１３，１４…絶縁部、１５…側端面、１６…把持部、１７…スライダ係合部、２０…ハウジング、２２…ロックスライダ装着部、２７…隔壁部、３０…電源側バスバー、３１…第１接点部、３２，４２…開口部、３３，４３…接触片、３４，３４Ａ…第１犠牲接点片、４０…負荷側バスバー、４１…第２接点部、４４，４４Ａ…第２犠牲接点片、５０…ロックスライダ、５２…押え片。
【図１】
2005174666.tif 000003
【図２】
2005174666.tif 000004
【図３】
2005174666.tif 000005
【図４】
2005174666.tif 000006
【図５】
2005174666.tif 000007
【図６】
2005174666.tif 000008
【図７】
2005174666.tif 000009
【図８】
2005174666.tif 000010
【図９】
2005174666.tif 000011
【図１０】
2005174666.tif 000012
【図１１】
2005174666.tif 000013
【図１２】
2005174666.tif 000014
【図１３】
2005174666.tif 000015
【図１４】
2005174666.tif 000016
【図１５】
2005174666.tif 000017